(57)【特許請求の範囲】
【請求項１】
内部に電子機器を収納可能で前記電子機器の操作スイッチに対向する部分に取付穴を有する下ケースと、前記下ケースにパッキンを介して開閉可能に固定される上ケースと、前記下ケースの取付穴に水密に装着されて、押圧することにより前記電子機器の操作スイッチを動作させる弾性スイッチボタンとを備え、前記弾性スイッチボタンが周囲にフランジ部を有し、前記下ケースの取付穴に挿入された前記フランジ部を含めて防滴シートで覆い接着することにより水密構造にした防滴ケース装置。
【発明の詳細な説明】
【０００１】
【産業上の利用分野】
本発明は、携帯用電子機器を収納するための防滴ケース装置に関する。
【０００２】
【従来の技術】
図４および図５は従来のこの種の防滴ケースの構成を示している。図４および図５において、１は下ケースであり、２は上ケースである。下ケース１と上ケース２とは、下ケース１の一方のヒンジ受け１ａに上ケース２のヒンジ２ａを組み付けることにより開閉可能になっている。また、下ケース１の他方のヒンジ受け１ｂには、上ケース２を下ケース１に固定するためのクリップ３のヒンジ３ａが取り付けられる。４は成形されたゴムパッキンであり、上ケース２の開口部周囲に形成された溝２ｂに装着される。５は送信機であり、電源スイッチ５ａおよびコード接続部５ｂを備えている。
【０００３】
上記従来例においては、図５に示すように、送信機５を下ケース１内に収納してイヤホンコード６の先端部のゴムパッキン６ａを下ケース１の取付穴１ｃに挿着した後、上ケース２を下ケース１に被せてクリップ３により固定することにより、ゴムパッキン４と６ａによりケース内部を水密に保持することができる。
【０００４】
【発明が解決しようとする課題】
しかしながら、上記従来の防滴ケースでは、送信機５の電源スイッチ５ａを操作する際には、上ケース２を開いて送信機５を取り出す必要があり、その際に雨が降っていると水滴がかかることがあり、操作性および防滴効果の点で十分でなかった。
【０００５】
本発明は、このような従来の問題を解決するものであり、操作性および防滴効果の優れた防滴ケース装置を提供することを目的とする。
【０００６】
【課題を解決するための手段】
本発明は、上記目的を達成するために、内部に電子機器を収納可能で前記電子機器の操作スイッチに対向する部分に取付穴を有する下ケースと、下ケースにパッキンを介して開閉可能に固定される上ケースと、下ケースの取付穴に水密に装着されて、押圧することにより電子機器の操作スイッチを動作させる弾性スイッチボタンとを備え、この弾性スイッチボタンが周囲にフランジ部を有し、下ケースの取付穴に挿入されたフランジ部を含めて防滴シートで覆い接着することにより水密構造にしたものである。
【０００７】
【作用】
したがって、本発明によれば、電子機器の操作スイッチをケースに装着された弾性スイッチボタンによりケースの外側から操作することができるので、電子機器の操作のためにケースを開ける必要がなく、操作性および防滴効果を向上させることができる。
【０００８】
【実施例】
以下、図面を参照して本発明の一実施例について説明する。図１および図２において、１１は下ケースであり、１２は上ケースである。下ケース１１と上ケース１２とは、下ケース１１の一方のヒンジ受け１１ａに上ケース１２のヒンジ１２ａを組み付けることにより開閉可能になっている。また、下ケース１１の他方のヒンジ受け１１ｂには、上ケース１２を下ケース１１に固定するためのクリップ１３のヒンジ１３ａが取り付けられる。下ケース１１にはまた、開口部の周囲にゴムパッキン１４を装着するための溝１１ｃが形成されており、側面には送信機１５の電源スイッチ１５ａおよびコード接続部１５ｂに対向する部分にそれぞれボタン取付穴１１ｄおよび周囲にねじ部を有するコード接続穴１１ｅが形成されている。１６はゴムスイッチボタンであり、図３に示すように、円筒状のトップ１６ａと、その周囲に形成されたフランジ１６ｂと、トップ１６ａの中心部から延びる軸１６ｃとからなる。１７は下ケース１１の凹部１１ｆに貼着される防滴シートであり、ゴムスイッチボタン１６のトップ１６ａを逃げるための逃げ穴１７を有し、その裏面には両面接着テープ１８の片方の面が貼着されている。
【０００９】
上記実施例の組立において、下ケース１１に上ケース１２およびクリップ１３を取り付け、ゴムパッキン１４を溝１１ｃに装着し、ゴムスイッチボタン１６をボタン取付穴１１ｄに挿入する。ボタン取付穴１１ｄは、図３に示すように、ゴムスイッチボタン１６のフランジ１６ｂを収容するために、フランジ１６ｂとほぼ同じ直径と深さの凹段部１１ｇを有し、防滴シート１７をゴムスイッチボタン１６のトップ１６ａを除いて被せることにより、その裏面の両面テープ１８がフランジ１６ｂを下ケース１１に接着するので、下ケース１１のボタン取付穴１１ｄとゴムスイッチボタン１６との間が水密に保持される。
【００１０】
次いで下ケース１１の中に送信機１５を収納し、上ケース１２を被せてクリップ１３により固定し、コード接続穴１１ｅにイヤホンコードの接続プラグをねじ込んで送信機１５のコード接続部１５ｂに接続することにより、ケース内の送信機１５が水密に保持される。したがって、送信機１５の電源スイッチ１５ａを操作したいときは、ゴムスイッチボタン１６を押圧することにより、軸１６ｃが電源スイッチ１５ａを押すので、電源がオンになって使用可能になる。
【００１１】
このように、上記実施例によれば、下ケース１１と上ケース１２との間がゴムパッキン１４により水密に保持され、また送信機１５の電源スイッチ１５ａの操作をケース外側のゴムスイッチボタン１６により行なうことができるので、操作性および防滴効果を向上させることができる。
【００１２】
【発明の効果】
本発明は、上記実施例から明らかなように、内部に電子機器を収納可能で前記電子機器の操作スイッチに対向する部分に取付穴を有する下ケースと、この下ケースにパッキンを介して開閉可能に固定される上ケースと、下ケースの取付穴に水密に装着されて、押圧することにより電子機器の操作スイッチを動作させる弾性スイッチボタンとを備え、この弾性スイッチボタンが周囲にフランジ部を有し、下ケースの取付穴に挿入されたフランジ部を含めて防滴シートで覆い接着することにより水密構造にしたので、電子機器の操作スイッチをケース外側の弾性スイッチボタンにより操作することができ、電子機器の操作のためにケースを開ける必要がなく、操作性および防滴効果を向上させることができる。
【図面の簡単な説明】
【図１】本発明の一実施例を示す防滴ケース装置の分解斜視図
【図２】同装置において下ケースに上ケースを組み付ける状態を示す斜視図
【図３】同装置のゴムスイッチボタン取付部の断面図
【図４】従来の防滴ケースの分解斜視図
【図５】同装置に送信機を収納する状態を示す斜視図
【符号の説明】
１１  下ケース
１１ａ，１１ｂ  ヒンジ受け
１１ｃ  溝
１１ｄ  ボタン取付穴
１１ｅ  コード接続穴
１１ｆ  凹部
１１ｇ  凹段部
１２  上ケース
１２ａ  ヒンジ
１３  クリップ
１３ａ  ヒンジ
１４  パッキン
１５  送信機
１５ａ  電源スイッチ
１５ｂ  コード接続部
１６  ゴムスイッチボタン
１６ａ  トップ
１６ｂ  フランジ
１６ｃ  軸
１７  防滴シート
１７ａ  逃げ穴
１８  両面接着テープ
【図１】
0003565887.tif 000002
【図２】
0003565887.tif 000003
【図３】
0003565887.tif 000004
【図４】
0003565887.tif 000005
【図５】
0003565887.tif 000006